(57)【特許請求の範囲】
【請求項１】
分散アンテナシステム（ＤＡＳ）における分析を取得するためのシステムであって、前記システムは、
モバイルデバイスと通信する第１のデジタル・リモート・ユニット（ＤＲＵ）であって、第１の物理ノードを含む第１のＤＲＵと、
前記モバイルデバイスと通信する第２のＤＲＵであって、第２の物理ノードを含む第２のＤＲＵと、
前記モバイルデバイスと通信する第３のＤＲＵであって、第３の物理ノードを含む第３のＤＲＵと、
複数の信号を、前記第１のＤＲＵ、前記第２のＤＲＵ及び前記第３のＤＲＵに対して、並びに、前記第１のＤＲＵ、前記第２のＤＲＵ及び前記第３のＤＲＵから、光接続を介してルーティングするように構成されたデジタル・アクセス・ユニット（ＤＡＵ）と、
前記ＤＡＵに通信可能に結合されたサーバコンピュータとを備え、
前記サーバコンピュータは、
プロセッサと、
前記プロセッサに結合され、前記プロセッサによって実行可能な命令を記憶するメモリとを備え、
前記命令は、
前記各ＤＲＵから、トラフィックデータのタイムスタンプ付きスナップショットを収集するステップと、
前記第１のＤＲＵによって測定された、前記モバイルデバイスに対する第１のキー・パフォーマンス・インジケータ（ＫＰＩ）データを前記ＤＡＵから収集するステップであって、前記第１のＫＰＩデータが第１の電力レベル又は第１の伝送時間のうちの少なくとも一方を備え、前記第１のＫＰＩデータが前記タイムスタンプ付きスナップショットにおける制御チャネル情報から抽出される、ステップと、
前記第１のＤＲＵの第１の位置を前記ＤＡＵから取得するステップと、
前記第２のＤＲＵによって測定された、前記モバイルデバイスに対する第２のＫＰＩデータを前記ＤＡＵから収集するステップであって、前記第２のＫＰＩデータが第２の電力レベル又は第２の伝送時間の少なくとも一方を備え、前記第２のＫＰＩデータが前記タイムスタンプ付きスナップショットにおける制御チャネル情報から抽出される、ステップと、
前記第２のＤＲＵの第２の位置を前記ＤＡＵから取得するステップと、
前記第３のＤＲＵによって測定された、前記モバイルデバイスに対する第３のＫＰＩデータを前記ＤＡＵから収集するステップであって、前記第３のＫＰＩデータが第３の電力レベル又は第３の伝送時間の少なくとも一方を備え、前記第３のＫＰＩデータが前記タイムスタンプ付きスナップショットにおける制御チャネル情報から抽出される、ステップと、
前記第３のＤＲＵの第３の位置を前記ＤＡＵから取得するステップと、
前記第１の位置、前記第１の電力レベル又は前記第１の伝送時間の少なくとも一方、前記第２の位置、前記第２の電力レベル又は前記第２の伝送時間の少なくとも一方、前記第３の位置、ならびに前記第３の電力レベル又は前記第３の伝送時間の少なくとも一方を使用して前記モバイルデバイスの地理的位置を求めるステップと、
を備える、システム。
【請求項２】
前記命令は、
前記モバイルデバイスに関連付けられた識別子を取得するステップと、
前記識別子および前記地理的位置を緊急応答システムに送信するステップと、
をさらに備える、請求項１に記載のシステム。
【請求項３】
前記第１のＫＰＩデータ、前記第２のＫＰＩデータ、および前記第３のＫＰＩデータは、アップリンク用のＰＤＣＣＨ又はダウンリンク用のＰＵＣＣＨのうちの１つ又はそれ以上を含む少なくとも１つの制御チャネルから収集される、請求項１に記載のシステム。
【請求項４】
前記モバイルデバイスの前記地理的位置は、到着時間遅延技術、到着時間差技術、及び三角測量アルゴリズムの少なくとも１つを使用して求められる、請求項１に記載のシステム。
【請求項５】
前記タイムスタンプ付きスナップショットは、後処理のためにサーバに記憶される、
請求項１に記載のシステム。
【請求項６】
前記ＤＡＵに結合される少なくとも１つのベーストランシーバ局（ＢＴＳ）をさらに備える、
請求項５に記載のシステム。
【請求項７】
前記第１のＤＲＵ、前記第２のＤＲＵ、および前記第３のＤＲＵは、スター構成、ループ、又はデイジーチェーン構成で複数のＤＡＵに結合される、請求項５に記載のシステム。
【請求項８】
前記第１のＤＲＵ、前記第２のＤＲＵ、および前記第３のＤＲＵに結合される少なくとも１つのデジタル拡張ユニット（ＤＥＵ）をさらに備え、
前記少なくとも１つのＤＡＵは、前記少なくとも１つのＤＥＵに結合される、
請求項１に記載のシステム。
【請求項９】
分散アンテナシステム（ＤＡＳ）におけるモバイルデバイスの地理的位置を求める方法であって、前記方法が、
各デジタル・リモート・ユニット（ＤＲＵ）から、トラフィックデータのタイムスタンプ付きスナップショットを収集するステップと、
第１のデジタル・リモート・ユニット（ＤＲＵ）によって測定された、前記モバイルデバイスに対する第１のキー・パフォーマンス・インジケータ（ＫＰＩ）データを、デジタル・アクセス・ユニット（ＤＡＵ）から収集するステップであって、前記第１のＤＲＵが第１の物理ノードを含みかつ第１の光接続を介して前記ＤＡＵと通信し、前記第１のＫＰＩデータが第１の電力レベルおよび第１の伝送時間の少なくとも一方を備え、前記第１のＫＰＩデータが前記タイムスタンプ付きスナップショットにおける制御チャネル情報から抽出される、ステップと、
前記第１のＤＲＵの第１の位置を前記ＤＡＵから取得するステップと、
第２のＤＲＵによって測定された、前記モバイルデバイスに対する第２のＫＰＩデータを前記ＤＡＵから収集するステップであって、前記ＤＲＵが第２の物理ノードを含みかつ第２の光接続を介して前記ＤＡＵと通信し、前記第２のＫＰＩデータが第２の電力レベル又は第２の伝送時間の少なくとも一方を備え、前記第２のＫＰＩデータが前記タイムスタンプ付きスナップショットにおける制御チャネル情報からチ抽出される、ステップと、
前記第２のＤＲＵの第２の位置を前記ＤＡＵから取得するステップと、
第３のＤＲＵによって測定された、前記モバイルデバイスに対する第３のＫＰＩデータを前記ＤＡＵから収集するステップであって、前記第３のＤＲＵが第３の物理ノードを含みかつ第３の光接続を介して前記ＤＡＵと通信し、前記第３のＫＰＩデータが第３の電力レベル又は第３の伝送時間の少なくとも一方を備え、前記第３のＫＰＩデータが前記タイムスタンプ付きスナップショットにおける制御チャネル情報から抽出される、ステップと、
前記第３のＤＲＵの第３の位置を前記ＤＡＵから取得するステップと、
前記第１の位置、前記第１の電力レベル又は前記第１の伝送時間の少なくとも一方、前記第２の位置、前記第２の電力レベル又は前記第２の伝送時間の少なくとも一方、前記第３の位置、ならびに前記第３の電力レベル又は前記第３の伝送時間の少なくとも一方を使用して前記モバイルデバイスの前記地理的位置を求めるステップと、
を備える、方法。
【請求項１０】
前記モバイルデバイスに関連付けられた識別子を取得するステップと、
前記識別子および前記地理的位置を緊急応答システムに送信するステップと、
をさらに備える、請求項９に記載の方法。
【請求項１１】
前記第１のＫＰＩデータ、前記第２のＫＰＩデータ、および前記第３のＫＰＩデータは、アップリンク用のＰＤＣＣＨ又はダウンリンク用のＰＵＣＣＨの１つ又はそれ以上を含む少なくとも１つの制御チャネルから収集され、
および／又はタイムスタンプ付きスナップショットは後処理のためのサーバに記憶される、
請求項９に記載の方法。
【請求項１２】
前記モバイルデバイスの前記地理的位置が、到着時間遅延技術、到着時間差技術、および三角測量アルゴリズムの少なくとも１つを使用して求められる、請求項９に記載の方法。
【請求項１３】
前記第１のＤＲＵ、前記第２のＤＲＵ、および前記第３のＤＲＵが、少なくとも１つのＤＡＵに結合される、請求項９に記載の方法。
【請求項１４】
前記少なくとも１つのＤＡＵが、少なくとも１つのベーストランシーバ局（ＢＴＳ）に結合される、請求項１３に記載の方法。
【請求項１５】
前記第１のＤＲＵ、前記第２のＤＲＵ、および前記第３のＤＲＵは、スター構成で前記少なくとも１つのＤＡＵのＤＡＵに結合される、請求項１３に記載の方法。
【請求項１６】
前記第１のＤＲＵ、前記第２のＤＲＵ、および前記第３のＤＲＵは、ループで前記少なくとも１つのＤＡＵのＤＡＵに結合される、請求項１３に記載の方法。
【請求項１７】
前記第１のＤＲＵ、前記第２のＤＲＵ、および前記第３のＤＲＵは、デイジーチェーン構成で互いに結合される、請求項１３に記載の方法。
【請求項１８】
前記第１のＤＲＵ、前記第２のＤＲＵ、および前記第３のＤＲＵが、少なくとも１つのデジタル拡張ユニット（ＤＥＵ）に結合され、前記少なくとも１つのＤＥＵが、少なくとも１つのデジタル・アクセス・ユニット（ＤＡＵ）に結合される、請求項９に記載の方法。
【発明の詳細な説明】
【技術分野】
【０００１】
[0001]
関連出願への相互参照
本出願は、２０１５年７月６日に出願された米国仮特許出願第６２／１８９，１１３号「Ｄｉｓｔｒｉｂｕｔｅｄ  Ａｎｔｅｎｎａ  Ｎｅｔｗｏｒｋ  Ａｎａｌｙｔｉｃｓ」に対する優先権を主張するものであり、その開示内容はすべての目的のために参照によりその全体が本明細書に組み込まれる。
【背景技術】
【０００２】
[0002]無線ネットワーク事業者は、常に、高いデータトラフィックの成長率を効果的に管理するネットワークを構築する上での課題に直面している。エンドユーザの移動性およびマルチメディアコンテンツのレベルの向上をサポートするために、通信ネットワークは、通常、新しいサービスならびにブロードバンドおよび定額インターネットアクセスに対する需要の増加をサポートするエンド・ツー・エンドのネットワーク適応を利用する。
【０００３】
[0003]ネットワーク事業者が直面する最も困難な課題の１つは、ＤＡＳネットワークのパフォーマンスを決定することである。ＤＡＳネットワークで使用されるリモートユニットは、機能が制限されている可能性があり、各ユーザが使用できるすべてのキー・パフォーマンス・インジケータ（ＫＰＩ）を抽出するための基地局の機能を有していない可能性がある。これらのＫＰＩは、各ユーザに提供されるサービスの品質を決定する。ユーザのサービス品質は、ネットワーク事業者にネットワークの最適化方法を通知することができ、問題が発生した場合にその解決を支援することができる。ＤＡＳネットワーク内で発生するリモートユニットから基地局を分離することは、ネットワークのパフォーマンスを監視する上で問題を引き起こす。さらに、ＤＡＳネットワーク（特に室内）のユーザの位置を特定することは難しい課題である。
【発明の概要】
【発明が解決しようとする課題】
【０００４】
[0004]本開示は、一般に、分散無線ネットワークの一部として分散アンテナシステム（ＤＡＳ）を使用する無線通信システムに関する。より具体的には、本開示は、分散無線ネットワークのモバイルデバイスのトラフィック監視を利用するＤＡＳネットワークに関する。トラフィック監視は、ＤＡＳネットワークのパフォーマンスを監視し、個々のモバイルデバイスの分析結果を生成するために使用することができる。
【課題を解決するための手段】
【０００５】
[0005]本発明の一実施形態によれば、ＤＡＳシステム内のモバイル機器の地理的位置を求める方法が提供される。本方法は、第１のデジタル・リモート・ユニット（ＤＲＵ）からモバイルデバイス用の第１のキー・パフォーマンス・インジケータ（ＫＰＩ）データを収集するステップを備える。第１のＫＰＩデータは、第１の電力レベルおよび第１の伝送時間の少なくとも一方を備える。本方法は、第１のＤＲＵの第１の位置を取得するステップをさらに備える。本方法は、第２のＤＲＵからモバイルデバイス用の第２のＫＰＩデータを収集するステップをさらに備える。第２のＫＰＩデータは、第２の電力レベルおよび第２の伝送時間の少なくとも一方を備える。本方法は、第２のＤＲＵの第２の位置を取得するステップをさらに備える。本方法は、第３のＤＲＵからモバイルデバイス用の第３のＫＰＩデータを収集するステップをさらに備える。第３のＫＰＩデータは、第３の電力レベルおよび第３の伝送時間の少なくとも一方を備える。本方法は、第３のＤＲＵの第３の位置を取得するステップをさらに備える。本方法は、（ｉ）第１の位置、ならびに第１の電力レベルおよび第１の伝送時間の少なくとも一方、（ｉｉ）第２の位置、ならびに第２の電力レベルおよび第２の伝送時間の少なくとも一方、（ｉｉｉ）第３の位置、ならびに第３の電力レベルおよび第３の伝送時間の少なくとも一方、を使用するモバイルデバイスの地理的位置を求めるステップをさらに備える。
【０００６】
[0006]本明細書に記載の方法を実行するためのシステムもまた提供される。本システムは、プロセッサと、プロセッサによって実行可能な命令を記憶するメモリとを備えるサーバコンピュータを備え、命令は、本明細書で説明される方法のステップを備える。本システムは、モバイルデバイス、少なくとも１つのＤＲＵ、少なくとも１つのデジタル・アクセス・ユニット（ＤＡＵ）、および／または少なくとも１つのベーストランシーバ局（ＢＴＳ）をさらに備えることができる。
【０００７】
[0007]これらおよび他の実施形態は、以下でさらに詳細に説明される。
【０００８】
[0008]本発明のさらなる目的および利点は、添付の図面と併せて以下の詳細な説明からより充分に理解することができる。
【図面の簡単な説明】
【０００９】
【図１】基本的なＤＡＳネットワークアーキテクチャの一例を示し、さらにデータ転送ネットワーク、ＫＰＩトラフィック監視、ＫＰＩデータおよび位置情報記憶装置を使用する例を示す図である。
【図２】Ｎ＝１の周波数再使用パターンが使用される場合に、単一の基地局を使用して広い地理的領域に対してネットワークカバレッジを提供するＤＡＳネットワークアーキテクチャの別の例を示す図である。
【図３】複数の基地局を有する基地局ホテルを含むＤＡＳネットワークアーキテクチャの一例を示す図である。
【図４】一実施形態による、ＤＡＵの要素の例を示す図である。
【図５】一実施形態による、ＤＲＵの要素の例を示す図である。
【図６】ＤＡＳネットワークアーキテクチャの一例を示し、基地局ホテルの一例をさらに詳細に示す図である。
【図７】ＤＡＳネットワークアーキテクチャの別の例を示し、基地局ホテルの一例をさらに詳細に示す図である。
【図８】基地局ホテルを含むＤＡＳネットワークアーキテクチャの別の実施形態を示す図である。
【図９】ＤＡＳネットワーク上のユーザのＫＰＩを取得するための処理の一例を示す図である。
【図１０】各ユーザに対して収集し、記憶することができるＫＰＩデータ１０１０の例、およびそのデータの編成の一例を示す図である。
【図１１】ＫＰＩデータを用いてユーザの位置を求める処理の一例を示す図である。
【図１２】ＤＡＳネットワーク内のモバイルデバイスの地理的位置を求めるための処理の一例を示す図である。
【図１３】ロング・ターム・エボリューション（ＬＴＥ）チャネルの一例を示す図である。
【図１４】ＬＴＥダウンリンク受信器トランスポートチャネルおよび制御情報の一例を示す図である。
【図１５】ＬＴＥダウンリンク送信器トランスポートチャネルおよび制御情報の一例を示す図である。
【図１６】ＬＴＥアップリンク受信器トランスポートチャネルおよび制御情報の一例を示す図である。
【図１７】ＬＴＥアップリンク送信器トランスポートチャネルおよび制御情報の一例を示す図である。
【発明を実施するための形態】
【００１０】
[0026]分散アンテナシステム（ＤＡＳ）は、基地局リソースを効率的に利用することができる。ＤＡＳに関連する１つまたは複数の基地局は、基地局ホテルとして一般に知られている中央の場所および／または施設に位置することができる。ＤＡＳネットワークは、１つまたは複数のデジタル・アクセス・ユニット（本明細書ではホストユニットとも呼ばれる）を含むことができる。ＤＡＵは、基地局とデジタル・リモート・ユニット（ＤＲＵ、または本明細書ではリモートユニットとも呼ばれる）との間のインターフェースとして機能する。ＤＡＵは、基地局とコロケーションすることができる。いくつかの実施形態では、ＤＡＳネットワークは、ＤＡＵとＤＲＵとの間に１つまたは複数のデジタル拡張ユニット（ＤＥＵ）をさらに含むことができる。ＤＥＵは、ＤＡＵとＤＲＵとの間のルーティングを提供する。いくつかの実施形態では、ＤＥＵは、ＤＡＵの機能のサブセットを、ＤＡＵの全機能範囲まで有する。ＤＲＵは、所与の地理的領域に対して無線ネットワークカバレッジを提供する。ＤＲＵは、共にデイジーチェーン接続することができ、および／またはスター構成に配置することができる。ＤＲＵは、典型的には、高速光ファイバリンクを使用してＤＡＵと接続することができる。高速光ファイバリンクは、基地局ホテルに位置する基地局からＤＲＵによってサービスされる遠隔地または領域への無線周波数（ＲＦ）信号の伝送を容易にすることができる。基地局は、セクタとして一般に知られている複数の独立した無線リソースを含むことができる。これらのセクタの各々は、別々の地理的領域にカバレッジを提供することができる。各セクタは、各セクタ内のユーザ間の同一チャネル干渉を生じさせないよう動作可能とすることができる。
【００１１】
[0027]ネットワークのパフォーマンスは、各ユーザに提供されるサービス品質（ＱｏＳ）によって測定することができる。サービス品質は、キー・パフォーマンス・インジケータ（ＫＰＩ）を使用して表すことができる。ＫＰＩは、ネットワークの異なる部分から導出することができる。異なるネットワーク事業者は、異なる定義されたビジネス目標および／または異なる関心のあるサービスを有することができる。したがって、効率的かつ費用効果の高いネットワークパフォーマンス管理を得るための要件は、事業者によって異なる可能性がある。したがって、各事業者によって要求されるように、サービス品質メトリックを定義し、ＫＰＩのセットにマッピングすることができる。
【００１２】
[0028]ＤＡＳネットワーク内のリモートユニットは、基地局の処理能力を有していない可能性があり、したがって、個々のユーザＫＰＩを抽出することができない可能性がある。このことは、ＤＡＳネットワークのパフォーマンスを求める際に、さらに、モバイルデバイスの位置を特定する際に、問題を生じさせる。モバイルデバイスのネットワークユーザの位置を知ることが有利であり得る。例えば、ユーザの位置は、９１１緊急システムなどの緊急サービスに提供することができる。ユーザの位置は、モバイルデバイスに関する分析結果を得るためにも使用することができる。個々のモバイルデバイスのＫＰＩメトリックは、ＤＡＳネットワークのステータスを監視するだけでなく障害発生時にネットワークを最適化するためにも使用することができる。
【００１３】
[0029]様々な実施形態において、本明細書で開示されるシステムおよび方法は、ＤＡＳネットワーク内の様々なリモートユニットにおけるネットワークトラフィックのタイムスタンプ付きスナップショットを使用することができる。これらのスナップショットはホストユニットに転送することができる。ホストユニットでは、後処理のためにスナップショットをサーバに記憶することができる。トラフィックスナップショットは、ネットワークによって提供される様々なセルラーバンドの複合した同相および直角位相データ（しばしばＩ／Ｑデータと呼ばれる）からなることができる。
【００１４】
[0030]いくつかの実装態様では、個々のモバイルデバイスのＫＰＩデータはスクランブルされてもよく、基地局でのみ利用可能であってもよい。その結果、独自の暗号化キーおよび／または復号化キーにアクセスすることができなければ、ＫＰＩデータが表示されない可能性がある。しかしながら、基地局は、制御チャネルを介してネットワーク・モバイル・デバイスと通信することができる。これらの制御チャネルは、容易に利用可能であり、ＫＰＩに関する限られた情報を提供することができる。例えば、ダウンリンク・ロング・ターム・エボリューション（ＬＴＥ）制御チャネルおよびアップリンクＬＴＥ制御チャネルは、物理ブロードキャストチャネル（ＰＢＣＨ）、物理ダウンリンク制御チャネル（ＰＤＣＣＨ）、物理ダウンリンク共有チャネル（ＰＤＳＣＨ）、物理ハイブリッド自動再送要求（ＡＲＱ）チャネル（ＰＨＩＣＨ）、物理アップリンク制御チャネル（ＰＵＣＣＨ）、および物理アップリンク共有チャネル（ＰＵＳＣＨ）から構成することができる。制御チャネルは、例えば、伝送時間、電力レベル、ユーザ物理層識別子、割り当てられたリソースブロックの数、リソースブロックのビットマップ、変調および符号化方式、肯定応答、ユーザチャネル、基地局チャネル、信号対雑音比（ＳＮＲ）、および／または信号対干渉雑音比（ＳＩＮＲ）などの情報を提供することができる。異なる電気通信規格は、ＫＰＩとして使用することができる異なる情報を提供し、標準化が進むにつれて、追加のＫＰＩ情報が利用可能になる可能性がある。
【００１５】
[0031]いくつかの実装態様では、本明細書で開示されるシステムおよび方法は、公衆安全通信システムで使用することができる。そのような公衆安全通信システムは、上述したＬＴＥ制御チャネルおよび／またはＡＰＣＯ−２５制御チャネルを使用することができる。したがって、いくつかの実装態様では、ＡＰＣＯ−２５制御チャネルは、ＬＴＥまたは他のセルラー制御チャネルの代わりにまたは追加で使用することができる。
【００１６】
[0032]前述したように、様々なリモートユニットおよびホストユニットからのＫＰＩデータは、後処理のためにサーバに記憶することができる。各ネットワーク事業者のチャネルに対する制御チャネル情報は、様々な信号からさらに抽出することができる。さらに、各モバイルデバイスに関連する情報を集計することができる。
【００１７】
[0033]ＤＡＳシステムの試運転段階は、ＤＡＳシステムが設置されるときである。試運転段階では、多くの場合、各リモートユニットの位置をかなり正確に求めることができる。リモートユニットの位置を知ることは、ＤＡＳネットワーク上の個々のリモートユニットの位置を確立するのを助けることができる。多くの場合、モバイルデバイスの信号は、複数のリモートユニットによって受信することができる。スナップショットは、各リモートユニットで各モバイルデバイスのＫＰＩデータから取得することができる。様々なリモートユニットのスナップショットは時間同期され、タイムスタンプ付けされるので、これらの複数のスナップショットを使用してユーザの位置を三角測量することができる。ユーザの位置を特定するために利用可能な多くの三角測量技術、例えば到着時間遅延、電力レベル、時間差などがある。三角測量が充分に正確な結果をもたらさない可能性がある場合、ユーザの位置は、最高電力でユーザの信号を受信したリモートアンテナの位置から推定することができる。
【００１８】
[0034]ＤＡＳ設備に含まれる可能性のある現場のフロアプランは、試運転段階の間に一般に入手可能である。これらのフロアプランは、ＫＰＩデータを集計する場合にアーカイブして使用することができる。ＤＡＳネットワークのリモートユニットとホストユニットとは、試運転段階の間にフロアプラン上の位置で識別することができる。フロアプランに対するリモートユニットの位置は、ユーザを迅速かつ正確に特定するのにさらに役立つ可能性がある。この情報は、例えば、緊急応答者にとって有利であり得る。
【００１９】
[0035]図１は、一実施形態によるＤＡＳネットワークアーキテクチャの一例を示す。また、データ転送ネットワーク、ＫＰＩトラフィック監視、ユーザＫＰＩデータ、および位置情報記憶の一例が示される。図１の例は、３セクタの基地局１００（ベーストランシーバ局またはＢＴＳとも呼ばれる）、複数のＤＡＵ１０２、１０８、１１１、および複数のＤＲＵを示す。図示の例では、ＤＲＵはデイジーチェーン構成で接続されている（つまり、ＤＲＵは順次接続されている）。他の実装態様では、ＤＲＵはスター構成（各ＤＲＵが中央のＤＡＵに独立して接続されていることを意味する）で接続することができる。ＤＲＵのデイジーチェーン（またはスター）をセルと呼ぶことができる。各セルは、地理的領域のネットワーク・サービス・カバレッジを提供する。カバレッジ領域はセクタと呼ぶことができる。各ＤＲＵは、ＤＲＵに関連する情報を提供することができ、ＤＲＵによって受信されたアップリンクデータを一意に識別することができる。
【００２０】
[0036]様々な実装態様において、基地局１００のリソースは、ＤＲＵ間で、またはＤＲＵの１つもしくは複数のグループ間で共有することができる。このリソース共有をサポートするために、ＤＡＵ１０２、１０８、１１１、および／またはＤＲＵは、ルーティングテーブルを含むことができる。これらのルーティングテーブルは、基地局１００のリソースの共有を容易にすることができる。
【００２１】
[0037]様々な実装態様において、ＤＡＵ１０２、１０８、１１１は、複数のＤＡＵ１０２、１０８、１１１の間でＤＲＵ信号のルーティングを容易にするために、互いにネットワーク接続することができる。ＤＡＵ１０２、１０８、１１１は、無線周波数ダウンリンク信号および無線周波数アップリンク信号を基地局１００とＤＲＵとの間で伝送するよう構成することができる。図１の例示的なＤＡＳネットワークのアーキテクチャは、様々な基地局１００信号が複数のＤＲＵとの間で伝送されることを可能にすることができる。ＤＡＵは、ピアポート、すなわち、ピア・ツー・ピア・ネットワーク内のＤＡＵを接続するためのポートを使用して相互接続することができる。ピア・ツー・ピア・ネットワークは、ピアまたは同等に権限を持つコンピューティングシステムの間でタスクまたはワークロードを分割する分散アプリケーションアーキテクチャである。ピア・システムは、サーバまたは安定したホストによる中央調整の必要なしに、処理能力、ディスク・ストレージまたはネットワーク帯域幅などのリソースの一部を他のネットワーク参加者が直接利用できるようにする。いくつかの実装態様では、ＤＲＵをピアポートと相互接続することもできる。
【００２２】
[0038]いくつかの実装態様では、ＤＡＵ１０２、１０８、１１１は、ＤＡＵ１０２、１０８、１１１と基地局１００との間で伝送することができるダウンリンク信号およびアップリンク信号の広範囲にわたり小さな増分で利得を制御する能力を有することができる。この能力により、ＤＡＵ１０２、１０８、１１１は、任意のＤＲＵまたはＤＲＵのグループと特定の基地局１００のセクタ１０１、１０９、１１０との間のアップリンクおよびダウンリンクの接続を柔軟におよび／または同時に制御することができる。
【００２３】
[0039]上述のように、ＤＡＵ１０２、１０８、１１１を構成するためにルーティングテーブルを使用することができる。ＤＡＵのルーティングテーブルは、ＤＡＵ１０２、１０８、１１１への入力と、ＤＡＵ１０２、１０８、１１１の様々な出力との間のマッピングを確立することができる。ＤＡＵ１０２、１０８、１１１の内部のマージブロックは、外部ポートおよびピアポートからの入力を同じデータストリームにマージすることができる場合、ダウンリンクテーブルと共に使用することができる。同様に、ローカル・エリア・ネットワーク（ＬＡＮ）ポートおよびピアポートからの入力を同じデータストリームにマージすることができる場合、マージブロックをアップリンクテーブルと共に使用することができる。
【００２４】
[0040]ＤＲＵのルーティングテーブルを使用して、ＤＲＵへの入力とＤＲＵの様々な出力との間のマッピングを確立することもできる。ＬＡＮポートおよびピアポートからの入力を同じデータストリームにマージする場合、ＤＲＵ内部のマージブロックをダウンリンクテーブルと共に使用することができる。同様に、外部ポートおよびピアポートからの入力を同じデータストリームにマージする場合、マージブロックをアップリンクテーブルと共に使用することができる。
【００２５】
[0041]図１の図示の例では、基地局１００は、セクタ１  １０１、セクタ２  １０９、セクタ３  １１０の３つのセクタを含む。図示した例では、各セクタ１０１、１０９、１１０の無線リソースは、ＤＲＵのデイジーチェーン接続されたネットワークに伝送することができる。各セクタ１０１、１０９、１１０の無線リソースは、ネットワークＤＲＵを介して、独立した地理的領域にネットワーク・サービス・カバレッジを提供することができる。図１の例では、各々が７つのＤＲＵを備える３つのセル１１５、１１６、１１７が、所与の地理的領域にカバレッジを提供する。サーバ（図示せず）は、基地局１００、ＤＡＵ１０２、１０８、１１１、およびセル１１５、１１６、１１７の間の信号のスイッチングを制御することができる。
【００２６】
[0042]図１に図示した例では、ＤＡＵ１  １０２は、基地局１００のセクタ１  １０１からダウンリンク信号を受信する。ダウンリンク信号は無線周波数信号１１８として受信することができる。ＤＡＵ１  １０２は、セクタ１  １０１からの無線周波数ダウンリンク信号１１８を光信号に変換することができる。ＤＡＵ１  １０２は、光ファイバケーブル１０３を使用して、ダウンリンク信号の一部または全部をセル１  １１５内のＤＲＵ  １  １０４にさらに伝送することができる。信号は、セル１  １１５内の各ＤＲＵを介して、セル１  １１５内のＤＲＵの間の追加の光ファイバケーブルにわたって、チェーン内の最後のＤＲＵであるＤＲＵ７  １０５に伝送することができる。同様に、ＤＡＵ２  １０８は、基地局１００のセクタ２  １０９から無線周波数ダウンリンク信号１１８を受信することができる。ＤＡＵ２  １０８は、ダウンリンク信号を光信号に変換し、光ケーブル１０３を使用してこれらのダウンリンク信号の一部または全部をセル２  １１６のＤＲＵ８  １０６に伝送することができる。ダウンリンク信号は、セル２  １１６内の各ＤＲＵを介して、このチェーンの最後のＤＲＵであるＤＲＵ１４  １０７にさらに伝送することができる。同様に、ＤＡＵ３  １１１は、セクタ３  １１０からセル３  １１３内のＤＲＵ１５  １１２にダウンリンク信号を伝送することができる。ダウンリンク信号は、セル３  １１７内の各ＤＲＵを介して、このチェーンの最後のＤＲＵであるＤＲＵ２１  １１３にさらに伝送することができる。追加のセルを設けて、ＤＡＳネットワークに接続することができる。いくつかの実装態様では、ＤＡＵ１０２、１０８、１１１は、デジタルデータリンクを介して基地局１００とインターフェースすることができる。そのような実装態様では、ＤＡＵ１０２、１０８、１１１での無線周波数変換は必要ではない可能性がある。
【００２７】
[0043]図示の例では、ＤＡＵ１  １０２は、ＤＡＵ２  １０８およびＤＡＵ３  １１１とネットワーク接続される。ＤＡＵ１０２、１０８、１１１をネットワーク接続することにより、セクタ２  １０９およびセクタ３  １１０からのダウンリンク信号をセル１  １１５内のＤＲＵに伝送することができる。同様に、セクタ１  ２０１からのダウンリンク信号は、セル２  １１６およびセル３  ２１７内のＤＲＵに伝送することができる。スイッチングおよびルーティング機能は、どのセクタ１０１、１０９、１１０の信号がセル１  １１５内の各ＤＲＵによって送信および／または受信されるかを制御することができる。
【００２８】
[0044]いくつかの実装態様では、ＤＡＵ１０２、１０８、１１１とそれらの関連するＤＲＵ１０４、１０５、１０６、１０７、１１２、１１３との間に１つまたは複数のデジタル拡張ユニット（ＤＥＵ）（図示せず）が存在する。ＤＥＵは、ＤＡＵ１０２、１０８、１１１とそれらの関連するＤＲＵ１０４、１０５、１０６、１０７、１１２、１１３との間のルーティングを提供することができる。いくつかの実施形態では、ＤＥＵは、ＤＡＵ１０２、１０８、１１１の機能のサブセットを、ＤＡＵ１０２、１０８、１１１の全機能範囲まで有する。
【００２９】
[0045]また、図１には、一例として、ＫＰＩトラフィック監視ユニット１２１と、ユーザＫＰＩデータおよび位置記憶装置１２０とが示されている。ＤＡＵ１０２、１０８、１１１は、それぞれ、ＫＰＩトラフィック監視ユニット１２１に接続することができる。あるいは、ＫＰＩトラフィック監視ユニット１２１は、特定のＤＡＵ（例えば、ＤＡＵ１０２）の内部にあってもよいし、各ＤＡＵ（例えば、ＤＡＵ１０２、１０８、１１１）がＫＰＩトラフィック監視ユニット１２１を備えてもよい。ＫＰＩトラフィック監視ユニット１２１は、ネットワーク内の各ＤＡＵ１０２、１０８、１１１およびＤＲＵでユーザＫＰＩを追跡することができる。様々なＤＲＵおよび／またはＤＡＵ１０２、１０８、１１１におけるトラフィックの時間同期されたスナップショットは、後処理のために収集され、サーバに記憶することができる。トラフィックスナップショットは、ＤＡＳネットワークによって提供される様々なセルラーバンドからの複合Ｉ／Ｑデータを含むことができる。トラフィックスナップショットは、収集され、ＫＰＩデータおよび位置ユニット１２０に記憶することができる。ＫＰＩトラフィック監視ユニット１２１と同様に、ＫＰＩデータおよび位置ユニット１２０は、ＤＡＵ（例えば、ＤＡＵ１０２、１０８、１１１）とは別個であってもよいし、一部であってもよい。ユーザＫＰＩデータおよび位置ユニット１２０は、ＤＡＵ１０２、１０８、１１１、およびＤＲＵに関連付けられた各ユーザのＫＰＩデータを抽出することができる。このデータは、アップリンク信号およびダウンリンク信号が供給される制御チャネルから抽出することができる。
【００３０】
[0046]制御チャネルは容易に利用可能とすることができる。制御チャネルは、ユーザＫＰＩに関する限られた情報を提供することができる。例えば、ダウンリンクＬＴＥ制御チャネルおよびアップリンクＬＴＥ制御チャネルは、物理ブロードキャストチャネル（ＰＢＣＨ）、物理ダウンリンク制御チャネル（ＰＤＣＣＨ）、物理ダウンリンク共有チャネル（ＰＤＳＣＨ）、物理ハイブリッドＡＲＱチャネル（ＰＨＩＣＨ）、物理アップリンク制御チャネル（ＰＵＣＣＨ）、および物理アップリンク共有チャネル（ＰＵＳＣＨ）を含むことができる。制御チャネルは、例えば、伝送時間、電力レベル、ユーザ物理層識別子、割り当てられたリソースブロックの数、リソースブロックのビットマップ、変調および符号化方式、肯定応答、ユーザチャネル、基地局チャネル、ＳＮＲ、および／またはＳＩＮＲなどの情報を提供することができる。
【００３１】
[0047]様々なＤＲＵにおけるスナップショットは、時間同期およびタイムスタンプ付けすることができる。これらのスナップショットを使用して、ユーザの位置を三角測量することができる。例えば、到着時間遅延、電力レベル、到着時の時間差など、多くの三角測量技術がユーザの位置を特定するために利用可能である。時間同期されたＤＡＳネットワークは、多数のリモートユニットおよびホストユニットからの比較的正確なタイムスタンプ付きスナップショットの追加の利点を提供することができる。三角測量が充分に正確な結果をもたらさない可能性がある場合、ユーザの位置は、最も高い信号電力を受信したリモートユニットの位置から推定することができる。ユーザデータは、インターネット１３０へのインターネットプロトコル（ＩＰ）１１９接続を介して提供することができ、その結果、データは、例えば、ワールドワイドウェブ上でアクセス可能とすることができる。
【００３２】
[0048]図２は、Ｎ＝１の周波数再使用パターンが使用される場合に、単一の基地局を使用して広い地理的領域に対してネットワークカバレッジを提供するＤＡＳネットワークアーキテクチャの別の例を示す。図２の例は、３セクタ基地局２００、複数のＤＡＵ２０２、２０８、２１１、および複数のＤＲＵを示す。この例のＤＲＵは、６つのセル２１５、２１６、２１７、２３１、２３４、２３７にグループ分けされる。各セル内で、ＤＲＵはデイジーチェーン構成で接続される。この例では、セル１  ２１５およびセル８は、基地局１００のセクタ１  ２０１の無線リソースを共有する。同様に、セル２  ２１６およびセル３  ２１７は、基地局１００のセクタ２  ２０９の無線リソースを共有する。同様に、セル３  ２１７およびセル１０  ２３７は、セクタ３  ２１０の無線リソースを共有する。
【００３３】
[0049]ＤＡＵ２０２、２０８、２１１は、基地局１００とＤＲＵとの間のデータのルーティングを制御することができる。データパケットには、関連するＤＲＵを識別するヘッダを設けることができる。ＤＡＵ２０２、２０８、２１１は、それらの間でデータが伝送可能になるよう相互接続することができる。ＤＡＵ２０２、２０８、２１１の間でデータをルーティングする能力は、セクタ２０１、２０９、２１０のいずれかと個々のＤＲＵとの間の信号の柔軟なルーティングを可能にするので有利であろう。サーバ（図示せず）は、スイッチングおよびルーティング機能を提供することができる。
【００３４】
[0050]図２に図示した例では、ＤＡＵ１  ２０２は、基地局２００のセクタ１  ２０１からダウンリンク信号を受信する。ＤＡＵ１  ２０２は、セクタ１  ２０１からの無線周波数信号２１８を光信号に変換することができる。ＤＡＵ１  ２０２は、光ファイバケーブル２０３を使用して、ダウンリンク信号の一部または全部をセル１  ２１５内のＤＲＵ  １  ２０４にさらに伝送することができる。信号は、セル１  ２１５内の各ＤＲＵを介して、セル１  １１５内のＤＲＵの間の追加の光ファイバケーブルを介して、チェーン内の最後のＤＲＵであるＤＲＵ７  ２０５に伝送することができる。図示の例では、ＤＡＵ１  ２０２は、追加の光ケーブル２０９を介して、セル３  ２１７内のＤＲＵ２１２にダウンリンク信号を伝送することもできる。信号はさらに、セル３  ２１７内の各ＤＲＵを通る追加の光ケーブルを介して、セル３  ２１７内の最後のＤＲＵであるＤＲＵ２１  ２１３に伝送することができる。セル３  ２１７は、セル１  ２１５によって提供されるものとは異なる地理的領域にネットワーク・サービス・カバレッジを提供することができる。このようにして、セクタ１  ２０１によって提供されるサービスは、より大きな領域に配信することができる。場合によっては、セル３  ２１７は、セル１  ２１５から大きく離れている可能性がある。他の場合、セル３  ２１７およびセル１  ２１５は隣接していてもよく、および／またはそれらによって提供されるカバレッジが部分的に重複していてもよい。
【００３５】
[0051]同様に、ＤＡＵ２  ２０８は、基地局２００のセクタ２  ２０９から無線周波数ダウンリンク信号２１８を受信することができる。ＤＡＵ２  ２０８は、ダウンリンク信号を光信号に変換し、光ケーブル２０３を使用してこれらのダウンリンク信号の一部または全部をセル２  ２１６のＤＲＵ８  ２０６に伝送することができる。ダウンリンク信号は、セル２  ２１６内の各ＤＲＵを介して、このチェーンの最後のＤＲＵであるＤＲＵ１４  ２０７にさらに伝送することができる。この例では、ＤＡＵ２  ２０８は、追加の光ケーブル２０９を介して、セル４  ２３４内のＤＲＵ２９  ２３５にダウンリンク信号を伝送することもできる。信号は、セル４  ２３４内の各ＤＲＵを介して、このチェーンの最後のＤＲＵであるＤＲＵ３５  ２３６にさらに伝送することができる。セル４  ２３４は、セル２  ２１６によって提供されるものとは異なる地理的領域にネットワーク・サービス・カバレッジを提供することができる。さらに、ＤＡＵ２  ２０８は、信号をセル２  ２１６またはセル４  ２３４、またはその両方に選択的に伝送することができる。このようにして、各セル２１６、２３４によってカバーされる地理的領域において、必要に応じてネットワーク・サービス・カバレッジを提供することができる。
【００３６】
[0052]同様に、ＤＡＵ３  １１１は、セクタ３  １１０からセル３  １１３内のＤＲＵ１５  １１２にダウンリンク信号を伝送することができる。ダウンリンク信号は、セル３  １１７内の各ＤＲＵを介して、このチェーンの最後のＤＲＵであるＤＲＵ２１  １１３にさらに伝送することができる。ＤＡＵ３  １１１は、追加の光ケーブル２０９を介して、セル１０  ２３７内のＤＲＵ４２  ２３９にダウンリンク信号を伝送することもできる。信号は、セル１０  ２３７内の各ＤＲＵを介して、このチェーンの最後のＤＲＵであるＤＲＵ４２  ２３９にさらに伝送することができる。
【００３７】
[0053]追加のセルを設けて、ＤＡＳネットワークに接続することができる。いくつかの実装態様では、ＤＡＵ１０２、１０８、１１１は、デジタルデータリンクを介して基地局１００とインターフェースすることができる。そのような実装態様では、ＤＡＵ１０２、１０８、１１１での無線周波数変換は必要ではない可能性がある。
【００３８】
[0054]いくつかの実装態様では、ＤＡＵ１  ２０２、ＤＡＵ２  ２０８、およびＤＡＵ３  ２１１１は、互いにネットワーク接続することができる。これらの実装態様では、セクタ２  ２０９およびセクタ３  ２１０からのダウンリンク信号は、セル１  ２１５および／またはセル４  ２３４内のＤＲＵの一部または全部に伝送することができる。同様に、セクタ１  ２０１からのダウンリンク信号は、ＤＡＵ２  ２０８を経由してセル２  ２１６および／またはセル４  ２３４に、ならびにＤＡＵ３  ２１１を経由してセル３  ２１７および／またはセル１０  ２３７に伝送することができる。
【００３９】
[0055]いくつかの実装態様では、ＤＡＵ２０２、２０８、２１１とそれらの関連するＤＲＵ２０４、２０５、２０６、２０７、２１２、２１３、２３２、２３３、２３５、２３６、２３８、２３９との間に１つまたは複数のデジタル拡張ユニット（ＤＥＵ）（図示せず）が存在する。ＤＥＵは、ＤＡＵ２０２、２０８、２１１とそれらの関連するＤＲＵ２０４、２０５、２０６、２０７、２１２、２１３、２３２、２３３、２３５、２３６、２３８、２３９との間のルーティングを提供することができる。いくつかの実施形態では、ＤＥＵは、ＤＡＵ２０２、２０８、２１１の機能のサブセットを、ＤＡＵ２０２、２０８、２１１の全機能範囲まで有する。
【００４０】
[0056]また、図２には、一例として、ＫＰＩ監視ユニット２２１と、ユーザＫＰＩデータおよび位置記憶装置２２０とが示されている。ＤＡＵ２０２、２０８、２１１は、それぞれ、ＫＰＩ監視ユニット２２１に接続することができる。あるいは、ＫＰＩ監視ユニット２２１は、特定のＤＡＵ（例えば、ＤＡＵ２０２）の内部にあってもよいし、各ＤＡＵ（例えば、ＤＡＵ２０２、２０８、２１１）は、ＫＰＩ監視ユニット２２１を備えてもよい。ＫＰＩ監視ユニット２２１は、ネットワーク内の各ＤＡＵ２０２、２０８、２１１および／またはＤＲＵでユーザＫＰＩを追跡することができる。ＫＰＩ監視ユニット２２１は、ＤＡＵ２０２、２０８、２１１、および／またはＤＲＵのいずれかでユーザデータの時間同期スナップショットを収集することができる。ユーザＫＰＩデータおよび位置記憶装置２２０（ＤＡＵ２０２、２０８、２１１のうちの１つまたは複数とは別個であるか、またはそれらの一部とすることができる）は、ユーザ通信リンクに設けられた制御チャネルからＫＰＩデータを抽出することができる。ユーザＫＰＩデータおよび位置記憶装置２２０はさらに、三角測量法を使用して、ＤＲＵの位置に対するユーザの位置を求めることができる。ユーザＫＰＩデータおよび／または位置は、例えば、ワールドワイドウェブ上で、データにアクセスできるように、インターネット２３０へのＩＰ２１９接続を通じて提供することができる。
【００４１】
[0057]図３は、複数の基地局３００、３５０を有する基地局ホテルを含むＤＡＳネットワークアーキテクチャの一例を示す。基地局ホテルにおける基地局の数は、Ｎ個の基地局として表すことができる。各基地局３００、３５０は、独立した無線ネットワーク事業者を表すことができる。あるいは、またはさらに、各基地局３００、３５０は、異なる無線規格（例えば、広帯域符号分割多元接続（ＷＣＤＭＡ（登録商標））、ＬＴＥなど）を実装することができる。あるいは、またはさらに、各基地局３００、３５０は、追加の無線周波数キャリアを提供することができる。ニュートラル・ホスト・アプリケーションの場合のように、これらの信号がＤＡＵに伝送される前に、基地局３００、３５０の信号を組み合わせることができる。
【００４２】
[0058]図３に図示した例では、ＤＡＵ１  ３０２は、基地局３００のセクタ１  ３０１からダウンリンク信号を受信する。ダウンリンク信号は無線周波数信号３１８として受信することができる。ＤＡＵ１  ３０２は、セクタ１  ３０１からの無線周波数ダウンリンク信号３１８を光信号に変換することができる。ＤＡＵ１  ３０２は、光ファイバケーブル３０３を使用して、ダウンリンク信号の一部または全部をセル１  ３１５内のＤＲＵ１  ３０４にさらに伝送することができる。信号は、セル１  ３１５内の各ＤＲＵを介して、セル１  ３１５内のＤＲＵの間の追加の光ファイバケーブルにわたって、チェーン内の最後のＤＲＵであるＤＲＵ７  ３０５に伝送することができる。ＤＡＵ１  ３０２は、基地局Ｎ  ３５０のセクタ１  ３４０からのダウンリンク信号も受信することができる。基地局Ｎ  ３５０からのダウンリンク信号は、無線周波数信号３１８として受信することもできる。ＤＡＵ１  ３０２は、基地局Ｎ  ３５０のセクタ１  ３４０からのダウンリンク信号を、セル１  ３１５内のＤＲＵに伝送するために光信号に変換することもできる。
【００４３】
[0059]同様に、ＤＡＵ２  ３０８は、基地局３００のセクタ２  １０９から、および基地局３５０のセクタ２  ３４１から、無線周波数ダウンリンク信号３１８を受信することができる。ＤＡＵ２  ３０８は、ダウンリンク信号を光信号に変換し、光ケーブル３０３を使用してこれらのダウンリンク信号の一部または全部をセル２  ３１６のＤＲＵ８  ３０６に伝送することができる。ダウンリンク信号は、セル２  ３１６内の各ＤＲＵを介して、このチェーンの最後のＤＲＵであるＤＲＵ１４  ３０７にさらに伝送することができる。同様に、ＤＡＵ３  １１１は、基地局３００のセクタ３  １１０および基地局Ｎ  ３５０のセクタ３  ３４２からのダウンリンク信号を、セル３  ３１３のＤＲＵ１５  ３１２に伝送することができる。ダウンリンク信号は、セル３  ３１７内の各ＤＲＵを介して、このチェーンの最後のＤＲＵであるＤＲＵ２１  ３１３にさらに伝送することができる。
【００４４】
[0060]いくつかの実装態様では、ＤＡＵ１  ３０２は、ＤＡＵ２  ３０８およびＤＡＵ３  ３１１とネットワーク接続することができる。ＤＡＵ３０２、３０８、３１１をネットワーク接続することにより、基地局３００からのセクタ２  ３０９およびセクタ３  ３１０ならびに基地局Ｎ  ３５０からのセクタ２  ３４１およびセクタ３  ３４２からのダウンリンク信号を、セル１  ３１５内のＤＲＵの一部または全部に伝送することができる。同様に、基地局３００のセクタ１  ３０１および基地局３５０のセクタ１  ３４０からのダウンリンク信号は、セル２  ３１６およびセル３  ３１７内のＤＲＵの一部または全部に伝送ことができる。
【００４５】
[0061]いくつかの実装態様では、図３のＤＡＳネットワークアーキテクチャにより、基地局リソースをより効率的に使用することを実現することができる。ＤＡＵ内のルーティング機能は、特有のデータストリームに関連付けられたアップリンク信号およびダウンリンク信号を、基地局３００、３５０セクタのいずれかと、任意のＤＲＵとの間でリダイレクトするよう構成することができる。
【００４６】
[0062]いくつかの実装態様では、ＤＡＵ３０２、３０８、３１１とそれらの関連するＤＲＵ３０４、３０５、３０６、３０７、３１２、３１３との間に１つまたは複数のデジタル拡張ユニット（ＤＥＵ）（図示せず）が存在する。ＤＥＵは、ＤＡＵ３０２、３０８、３１１とそれらの関連するＤＲＵ３０４、３０５、３０６、３０７、３１２、３１３との間のルーティングを提供することができる。いくつかの実施形態では、ＤＥＵは、ＤＡＵ３０２、３０８、３１１の機能のサブセットを、ＤＡＵ３０２、３０８、３１１の全機能範囲まで有する。
【００４７】
[0063]図４は、一実施形態による、ＤＡＵの要素の例を示す。この例では、ＤＡＵは、物理ノード４００およびローカルルータ４０１から構成される。物理ノード４００は、無線周波数ダウンリンク信号４０４をベースバンドダウンリンク信号４０９に、ベースバンドアップリンク信号４１０を無線周波数アップリンク信号４０５に変換することができる。物理ノード４００は、無線周波数で１つまたは複数の基地局に接続することができる。各物理ノード４００は、異なるネットワーク事業者が、異なる周波数帯域、異なるチャネル、または事業者、帯域、および／またはチャネルの任意の組み合わせに対して使用することができる。いくつかの実装形態では、物理ノード４００は、デュプレクサを介してダウンリンク４０４信号およびアップリンク４０５信号を組み合わせることができる。他の実装態様では、物理ノード４００は、例えば、シンプレックス構成などの、ダウンリンク４０４信号およびアップリンク４０５信号を分離した状態に保つことができる。
【００４８】
[0064]ローカルルータ４０１は、様々なＬＡＮポート４０３、ピアポート４０８、および外部ポート４１１の間でトラフィックデータを方向づけることができる。いくつかの実装態様では、ローカルルータ４０１は、ＫＰＩ監視装置４１６も含むことができる（または、代替的に、ＫＰＩ監視装置４１６に結合することができる）。ＫＰＩ監視装置４１６は、各ＤＡＵポートにおけるトラフィックデータの時間同期スナップショットを取得することができる。
【００４９】
[0065]図４の例に示すように、物理ノード４００は、アップリンク信号４０５用の個別の出力と、ダウンリンク信号４０４用の個別の入力とを有する。各物理ノード４００は、信号を無線周波数からベースバンドへ、またはその逆に変換するよう構成することができる。物理ノード４００は、ローカルルータ４０１上の外部ポート４０９、４１０に接続することができる。ローカルルータ４０１は、ＬＡＮ４０３ポートおよびピアポート４０８から外部Ｕポート４１０にアップリンクデータストリームが方向づけられるよう構成することができる。同様に、ローカルルータ４０１は、外部Ｄポート４０９からＬＡＮ４０３ポートおよびピア４０８ポートへの直接ダウンリンクデータストリームとすることができる。
【００５０】
[0066]いくつかの実装態様では、ＬＡＮポート４０３およびピアポート４０８は、光ファイバケーブルを介して、他のＤＡＵおよびＤＲＵのネットワークに接続することができる。あるいは、またはさらに、このネットワーク接続への接続は、例えば、カテゴリ５（ｃａｔ−５）もしくはカテゴリ６（ｃａｔ−６）ケーブルまたは他の適切な相互接続装置などの、銅相互接続部を使用することができる。図４のＤＡＵはまた、インターネット４０６  ＩＰ  ４１２対応接続に接続することもできる。ＤＡＵはまた、ホストユニットまたはサーバ４０２と通信するためのイーサネット（登録商標）接続４０８を含むことができる。ＤＡＵは、ホストユニット４０２を介してリモート動作制御装置４０７センタと通信することができる。いくつかの実装態様では、ＤＡＵは、イーサネット（登録商標）ポート４０８を介してリモート動作制御装置４０７に直接接続することができる。
【００５１】
[0067]図５は、一実施形態による、ＤＲＵの要素の例を示す。この例では、ＤＲＵは、物理ノード５０１およびリモートルータ５００から構成される。リモートルータ５００は、ＬＡＮポート５０２、外部ポート５１１、およびピアポート５１０の間でトラフィックデータを方向づけるよう構成することができる。
【００５２】
[0068]物理ノード５０１は、無線周波数で基地局および／またはアンテナネットワークに接続することができる。各物理ノード５０１は、異なるネットワーク事業者が、異なる周波数帯域、異なるチャネル、または事業者、帯域、および／またはチャネルの任意の組み合わせに対して使用することができる。図５の図示の例では、物理ポート５０１は、アップリンク信号５０４およびダウンリンク信号５０３のための別個の入力を有する。物理ポート５０１は、無線周波数アップリンク信号５０４をベースバンド信号５０７に、ベースバンドダウンリンク５０６を無線周波数ダウンリンク信号５０３に変換することができる。物理ポート５０１は、リモートルータ５００の外部ポート５１１に接続することができる。
【００５３】
[0069]リモートルータ５００は、ダウンリンクデータストリームをＬＡＮ５０２ポートおよびピア５１０ポートから外部Ｄポート５０６に方向づけるよう構成することができる。同様に、リモートルータ５００は、アップリンクデータストリームを外部Ｕポート５０７からＬＡＮ５０２ポートおよびピア５１０ポートに方向づけることができる。ＤＲＵはまた、イーサネット（登録商標）スイッチ５０５を含むことができる。イーサネット（登録商標）スイッチ５０５は、リモートコンピュータ５０９または１つもしくは複数の無線アクセスポイント５１２がＤＲＵを介してインターネットに接続することを可能にすることができる。いくつかの実装態様では、リモートルータ５００は、ＫＰＩ監視装置５１６も含むことができる（または、代替的に、ＫＰＩ監視装置５１６に結合することができる）。ＫＰＩ監視装置５１６は、各ＤＲＵポートにおけるトラフィックデータの時間同期スナップショットを取得するよう構成することができる。
【００５４】
[0070]図６は、ＤＡＳネットワークアーキテクチャの一例を示し、基地局ホテル６１０の一例をさらに詳細に示す。基地局ホテル６１０は、複数のピコセルから構成することができる。ピコセルは、ほとんどの場合、無線ネットワーク事業者に依存し、および／または周波数帯域に依存する可能性がある。いくつかの実装態様では、ピコセルは、スモールセルと呼ばれる可能性がある。同じ周波数帯域で動作するピコセルは無線周波数領域で結合することができ、結合された信号は無線周波数接続６１８を介してＤＡＵ６０２、６０８、６１１に伝送することができる。各ＤＡＵ６０２、６０８、６１１は、結合された信号を光信号に変換し、光ケーブル６０３を介してＤＲＵのデイジーチェーン接続されたセル６１５、６１６、６１７に伝送することができる。例えば、１１、１２、．．．１Ｎと番号付けられたピコセルを組み合わせてＤＡＵ１  ６０２に伝送することができる。ＤＡＵ１  ６０２は、信号を光ケーブル６０３を介してセル１  ６１５内のＤＲＵに伝送することができる。このようにして、ＤＡＵ６０２、６０８、６１１、およびＤＡＵ６０２、６０８、６１１が対応するＤＲＵのセル６１５、６１６、６１７は、それぞれ異なる地理的領域にネットワーク・サービス・カバレッジを提供することができる。
【００５５】
[0071]いくつかの実装態様では、ＤＡＵ６０２、６０８、６１１とそれらの関連するＤＲＵ６０４、６０５、６０６、６０７、６１２、６１３との間に１つまたは複数のデジタル拡張ユニット（ＤＥＵ）（図示せず）が存在する。ＤＥＵは、ＤＡＵ６０２、６０８、６１１とそれらの関連するＤＲＵ６０４、６０５、６０６、６０７、６１２、６１３との間のルーティングを提供することができる。いくつかの実施形態では、ＤＥＵは、ＤＡＵ６０２、６０８、６１１の機能のサブセットを、ＤＡＵ６０２、６０８、６１１の全機能範囲まで有する。
【００５６】
[0072]いくつかの実装態様では、図６のＤＡＳネットワークアーキテクチャは、ＫＰＩ監視ユニット６２１と、ユーザＫＰＩデータおよび位置記憶装置６２２とを含むことができる。ＫＰＩ監視ユニット６２１は、各ＤＡＵ６０２、６０８、６１１に接続することができる。あるいは、ＫＰＩ監視ユニット６２１は、特定のＤＡＵ（例えば、ＤＡＵ６１１）の内部にあってもよいし、各ＤＡＵ（例えば、ＤＡＵ６０２、６０８、６１１）は、ＫＰＩ監視ユニット６２１を備えてもよい。ＫＰＩ監視ユニット６２１は、ＤＡＵ６０２、６０８、６１１、およびＤＲＵのそれぞれにおけるユーザトラフィックデータのタイムスタンプ付きスナップショットを取得することができる。ユーザＫＰＩデータおよび位置記憶装置６２２（ＤＡＵ６０２、６０８、６１１の１つまたは複数とは別個であってもよいし、一部であってもよい）は、スナップショットを記憶することができ、スナップショットデータをさらに使用してユーザの位置を求めることができる。ユーザＫＰＩデータおよび位置情報は、例えば、ワールドワイドウェブ上で、データにアクセスできるように、インターネット６３０へのＩＰ６１９接続を通じて提供することができる。
【００５７】
[0073]図７は、ＤＡＳネットワークアーキテクチャの別の例を示し、基地局ホテル７１０の一例をさらに詳細に示す。基地局ホテル７１０は、複数のピコセルから構成することができる。ピコセルは、ほとんどの場合、無線ネットワーク事業者に依存し、および／または周波数帯域に依存する可能性がある。同じ周波数帯域で動作するピコセルは無線周波数領域で結合することができ、結合された信号は無線周波数接続７１８を介してＤＡＵ７０２、７０８、７１１に伝送することができる。各ＤＡＵ７０２、７０８、７１１は、結合された信号を光信号に変換し、この光信号を光ケーブル７０３を介してＤＲＵのデイジーチェーン接続されたセル７１５、７１６、７１７に伝送することができる。ＤＡＵ７０２、７０８、７１１、およびＤＡＵ７０２、７０８、７１１が対応するＤＲＵのセル７１５、７１６、７１７は、それぞれ異なる地理的領域にネットワーク・サービス・カバレッジを提供することができる。
【００５８】
[0074]いくつかの実装態様では、ＤＡＵ７０２、７０８、７１１とそれらの関連するＤＲＵ７０４、７０５、７０６、７０７、７１２、７１３との間に１つまたは複数のデジタル拡張ユニット（ＤＥＵ）（図示せず）が存在する。ＤＥＵは、ＤＡＵ７０２、７０８、７１１とそれらの関連するＤＲＵ７０４、７０５、７０６、７０７、７１２、７１３との間のルーティングを提供することができる。いくつかの実施形態では、ＤＥＵは、ＤＡＵ７０２、７０８、７１１の機能のサブセットを、ＤＡＵ７０２、７０８、７１１の全機能範囲まで有する。
【００５９】
[0075]いくつかの実装態様では、図７のＤＡＳネットワークアーキテクチャは、ＫＰＩ監視ユニット７２１と、ユーザＫＰＩデータおよび位置記憶装置７２２とを含むことができる。ＫＰＩ監視ユニット７２１は、ピコセル７４１、７４２、７４３に接続することができる。ＫＰＩ監視ユニット７２１は、各ピコセル７４１、７４２、７４３によって送受信されるユーザトラフィックデータのタイムスタンプ付きスナップショットを取得することができる。ユーザＫＰＩデータおよび位置記憶装置７２２は、スナップショットを記憶することができ、スナップショットデータをさらに使用してユーザの位置を求めることができる。ユーザＫＰＩデータおよび位置は、例えば、ワールドワイドウェブ上で、データにアクセスできるように、インターネット７３０へのＩＰ７１９接続を通じて提供することができる。
【００６０】
[0076]図８は、基地局ホテル８１０を含むＤＡＳネットワークアーキテクチャの別の実施形態を示す。基地局ホテル８１０は、複数のピコセルから構成することができる。ピコセルは、ほとんどの場合、無線ネットワーク事業者に依存し、および／または周波数帯域に依存する可能性がある。いくつかの実装態様では、ピコセルはデジタルインターフェースを含むことができる。これらの実装態様では、ピコセルは、例えば、光ファイバケーブルなどの、デジタル接続８３０を介してＤＡＵ８０２、８０８、８１１に接続することができる。各ＤＡＵ８０２、８０８、８１１は、光ケーブル８０３を介して光信号をＤＲＵのデイジーチェーン接続されたセル８１５、８１６、８１７に伝送する。ＤＡＵ８０２、８０８、８１１、およびＤＡＵ８０２、８０８、８１１が対応するＤＲＵのセル８１５、８１６、８１７は、それぞれ異なる地理的領域にネットワーク・サービス・カバレッジを提供することができる。
【００６１】
[0077]いくつかの実装態様では、ＤＡＵ８０２、８０８、８１１とそれらの関連するＤＲＵ８０４、８０５、８０６、８０７、８１２、８１３との間に１つまたは複数のデジタル拡張ユニット（ＤＥＵ）（図示せず）が存在する。ＤＥＵは、ＤＡＵ８０２、８０８、８１１とそれらの関連するＤＲＵ８０４、８０５、８０６、８０７、８１２、８１３との間のルーティングを提供することができる。いくつかの実施形態では、ＤＥＵは、ＤＡＵ８０２、８０８、８１１の機能のサブセットを、ＤＡＵ８０２、８０８、８１１の全機能範囲まで有する。
【００６２】
[0078]いくつかの実装態様では、図８のＤＡＳネットワークアーキテクチャは、ＫＰＩ監視ユニット８２０と、ユーザＫＰＩデータおよび位置記憶装置８４０とを含むことができる。ＫＰＩ監視ユニット８２０は、ピコセルに接続することができる。ＫＰＩ監視ユニット８２０は、各ピコセルによって送受信されるユーザトラフィックデータのタイムスタンプ付きスナップショットを取得することができる。ユーザＫＰＩデータおよび位置記憶装置８４０は、スナップショットを記憶することができ、スナップショットデータをさらに使用してユーザの位置を求めることができる。ユーザＫＰＩデータおよび位置は、例えば、ワールドワイドウェブ上で、データにアクセスできるように、インターネット８５０へのＩＰ８１９接続を通じて提供することができる。
【００６３】
[0079]図９は、ＤＡＳネットワーク上のユーザのＫＰＩを取得するための処理の一例を示す。図示するステップは、上述のＫＰＩ監視ユニットなどの、ＤＡＳネットワーク内の専用コンポーネントによって実行することができる。ＫＰＩ監視ユニットは、サーバコンピュータを備えることができる。あるいは、またはさらに、本ステップは、ＤＡＳネットワーク内のＤＡＵおよび／またはＤＲＵによって個別に実行することができる。あるいは、またはさらに、本ステップは、他のＤＡＵおよび／またはＤＲＵからデータを収集する１つのＤＡＵまたはＤＲＵによって実行することができる。あるいは、またはさらに、複数のＤＡＵおよびＤＲＵが協働してＫＰＩデータを収集および照合するよう動作することができる。
【００６４】
[0080]ステップ９１０で、トラフィックデータの時間同期スナップショットを各リモートユニット（例えば、ＤＲＵ）および各ホストユニット（例えば、ＤＡＵ）から収集することができる。タイムスタンプは、スナップショットが取得された時刻を示す。トラフィックデータのブロックは、ＤＡＳネットワークに現在関連付けられている各ユーザに対して収集することができる。スナップショットは、後処理のためにサーバにさらに伝送することができる。
【００６５】
[0081]ステップ９２０で、サーバは、ＤＡＳネットワーク上の様々なネットワーク事業者からの信号に関連する制御チャネルからＫＰＩ、すなわち、ユーザトラフィックデータに関する情報を抽出することができる。ステップ９３０で、ステップ９１０で収集されたＫＰＩは、記憶されることになるユーザＫＰＩデータ記憶装置９６０に送信することができる。
【００６６】
[0082]ステップ９４０で、サーバは、複数のリモートユニットおよび／またはホストユニットからの時間同期スナップショットを分析し、ユーザの位置を求めるための三角測量法を適用することができる。ステップ９５０で、ユーザＫＰＩデータ記憶装置９６０に記憶されているユーザのＫＰＩデータを、ユーザの位置情報で更新することができる。ユーザＫＰＩデータ記憶装置９６０は、例えば、ワールドワイドウェブ上で、ユーザのＫＰＩデータおよび／または場所を利用できるように、インターネット９７０に接続することができる。
【００６７】
[0083]図１０は、各ユーザに対して収集し、記憶することができるＫＰＩデータ１０１０の例、およびそのデータ１０１０の編成の一例を示す。図示の例では、ＫＰＩデータ１０１０は、最初にユーザによって編成することができる。ＤＡＳネットワークに関連する各ユーザには、一意の識別子（ＩＤ）を与えることができる。例えば、この図示の例では、第１のユーザにはＩＤ＃１１２３が割り当てられ、第２のユーザにはＩＤ＃１３４５が割り当てられている。ＫＰＩデータ１０１０は、データ１０１０が収集された時点に従ってさらに編成することができる。上述したように、ＫＰＩデータ１０１０は、リモートユニットまたはホストユニットで収集したものとすることができる。ＤＡＳネットワーク内の各リモートユニットおよびホストユニットには、一意の識別子を割り当てることができる。例えば、図示の例では、様々なリモートユニットおよびホストユニットに、ＩＤ＃３５、＃４４、および＃５４が割り当てられている。これらのリモートユニットおよびホストユニットのそれぞれにおいて、各ユーザに対するデータを収集することができる。したがって、例えば、ユーザＩＤ＃１１２３のデータは、リモート／ホストＩＤ＃３５、＃４４、および＃５４のそれぞれについてのデータのブロックを含むことができる。同様に、ユーザＩＤ＃１３４５は、リモート／ホストＩＤ＃３５についてのデータのブロックと、リモート／ホストＩＤ＃４４および＃５４（図示せず）とを含むことができる。ＫＰＩデータのブロックは、例えば、送信タイムスタンプ、アップリンクデータであるかダウンリンクデータであるか、リソースブロック数、リソースブロックのビットマップ、変調方式、肯定応答、ユーザ機器（ＵＥ）チャネル、基地局（ＢＳ）チャネル、信号対雑音比（ＳＮＲ）、および／または信号対干渉雑音比（ＳＩＮＲ）をさらに含むことができる。
【００６８】
[0084]図１１は、ＫＰＩデータを用いてユーザの位置を求める処理の一例を示す。この例示的処理は、例えば、ＫＰＩ監視ユニットならびに／もしくはユーザＫＰＩデータおよび位置記憶コンポーネントならびに／もしくはＤＡＳネットワークに接続されたサーバなど、ＤＡＳネットワーク内の専用コンポーネントによって実行することができる。あるいは、またはさらに、本ステップは、ＤＡＳネットワーク内のＤＡＵまたはＤＲＵによって実行することができる。あるいは、またはさらに、協働する複数のＤＡＵおよび／またはＤＲＵによって本ステップを実行することができる。
【００６９】
[0085]ステップ１１１０において、ＫＰＩデータは、リモートユニットおよび／またはホストユニットから収集することができる。ステップ１１２０において、ユーザの記憶された情報は、ステップ１１０において収集された最新のＫＰＩデータで更新することができる。ユーザの情報は、最後のスナップショットが取得されて記憶された後に変更されている可能性があり、例えば、ユーザは、リモートユニットのあるグループの範囲からリモートユニットの別のグループの範囲に移動している可能性がある。多くの場合、複数のリモートユニットおよび／またはホストユニットからユーザのＫＰＩデータが収集される。ステップ１１２０において、ユーザの記憶された情報は、複数のリモートユニットおよび／またはホストユニットの一部または全部について更新することができる。
【００７０】
[0086]ステップ１１３０において、ユーザＫＰＩデータは、データを分析することができる方法に従ってソートすることができる。例えば、ＫＰＩデータは、まずユーザによって、次にデータが収集されたリモートユニットおよび／またはホストユニットの位置、またはデータの伝送時間、または受信信号の電力レベル、または他のいくつかのメトリック、またはメトリックのいくつかの組み合わせによってソートすることができる。
【００７１】
[0087]ステップ１１４０において、図示した処理は、充分なＫＰＩデータが三角測量を実行するために収集されたかどうかを判定し、ユーザの位置を求めることができる。収集されたデータが不充分である場合、処理はステップ１１８０に進む可能性がある。ステップ１１８０において、ユーザの位置は、ユーザに最も近いリモートユニットの位置から求めることができる。リモートユニットがユーザに最も近いかどうかは、例えば、ユーザの信号を最も高い電力レベルで受信したリモートユニットを見つけることによって、判定することができる。例えば、リモートユニットの設置場所は、リモートユニットが設置された時点でリモートユニットの設置場所が記憶されていたため既知である可能性がある。ユーザの位置がそのユーザに最も近いユニットから推定されると、ステップ１１７０で、ユーザの位置を記憶することができる。ユーザの情報は、ステップ１１２０において、この推定位置で更新することもできる。
【００７２】
[0088]ステップ１１４０において、三角測量を実行するのに充分なＫＰＩデータが収集されたと図示の処理が判断した場合、処理はステップ１１５０に進む。ステップ１１５０で、処理は、ユーザのＫＰＩデータからのタイムスタンプおよび電力レベル、ならびにリモートユニットの位置を使用して、三角測量法を適用することができる。例えば、本処理は、ステップ１５０において、どのリモートユニットがユーザから最も強い信号と最新の信号の両方を受信したかを判断することができる。これらのリモートユニットの位置は、例えば、リモートユニットが設置されたときにリモートユニットの位置が記憶されていたために、既知である可能性がある。本処理は、これらのリモートユニットの位置を使用してユーザの位置を三角測量することができる。
【００７３】
[0089]ユーザの位置を求めると、本処理は、ステップ１１６０において、ユーザの位置情報を更新することができる。この情報は、ステップ１１７０で記憶することができる。本処理は、その後、ステップ１１１０に戻り、繰り返すことができる。本処理を繰り返すことにより、ユーザの情報（位置を含む）が変更された場合に、更新された情報を提供することができる。
【００７４】
[0090]図１２は、ＤＡＳネットワーク内のモバイルデバイスの地理的位置を求めるための方法のフローチャートの一例を示す。ステップ１２０５で、モバイルデバイスの第１のＫＰＩデータが第１のＤＲＵから収集される。第１のＫＰＩデータは、アップリンク用のＰＤＣＣＨまたはダウンリンク用のＰＵＣＣＨによって提供されるような制御チャネル情報から抽出することができる。第１のＫＰＩデータは、第１の電力レベルおよび第１の伝送時間（例えば、３２ビットタイムスタンプによって表される）の少なくとも一方を備える。例えば、第１の電力レベルは−８３ｄＢｍとすることができる。モバイルデバイスは、識別子（例えば、１１２５）に関連付けることができる。識別子は、モバイルデバイスに関連付けられた電話番号とは異なる可能性があり、送信中に暗号化することができる。
【００７５】
[0091]ステップ１２１０において、第１のＤＲＵの第１の位置が取得される。第１のＤＲＵは、「３５」などのコードによって識別することができる。コードは、例えば、データベースなどから、第１のＤＲＵの位置を得るために使用することができる。例えば、第１のＤＲＵが設置された場合に、第１のＤＲＵの場所が記憶されている可能性がある。
【００７６】
[0092]ステップ１２１５で、モバイルデバイスの第２のＫＰＩデータが第２のＤＲＵから収集される。第２のＫＰＩデータは、アップリンク用のＰＤＣＣＨまたはダウンリンク用のＰＵＣＣＨによって提供されるような制御チャネル情報から抽出することができる。第２のＫＰＩデータは、第２の電力レベルおよび第２の伝送時間（例えば、３２ビットタイムスタンプによって表される）の少なくとも一方を備える。例えば、第２の電力レベルは−８７ｄＢｍとすることができる。モバイルデバイスは、第１のＤＲＵによって使用されるのと同じ識別子によって識別することができる。
【００７７】
[0093]ステップ１２２０で、第２のＤＲＵの第２の位置が取得される。第２のＤＲＵは、「４５」などのコードによって識別することができる。コードは、例えば、データベースなどから、第２のＤＲＵの位置を得るために使用することができる。例えば、第２のＤＲＵが設置された場合に、第２のＤＲＵの場所が記憶されている可能性がある。
【００７８】
[0094]ステップ１２２５で、モバイルデバイスの第３のＫＰＩデータが第３のＤＲＵから収集される。第３のＫＰＩデータは、アップリンク用のＰＤＣＣＨまたはダウンリンク用のＰＵＣＣＨによって提供されるような制御チャネル情報から抽出することができる。第３のＫＰＩデータは、第３の電力レベルおよび第３の伝送時間（例えば、３２ビットタイムスタンプによって表される）の少なくとも一方を備える。例えば、第３の電力レベルは−６８ｄＢｍとすることができる。モバイルデバイスは、第１のＤＲＵおよび第２のＤＲＵによって使用されるのと同じ識別子によって識別することができる。
【００７９】
[0095]ステップ１２３０で、第３のＤＲＵの第３の位置が取得される。第３のＤＲＵは、「５３」などのコードによって識別することができる。コードは、例えば、データベースなどから、第３のＤＲＵの位置を得るために使用することができる。例えば、第３のＤＲＵが設置された場合に、第３のＤＲＵの場所が記憶されている可能性がある。
【００８０】
[0096]ステップ１２３５では、モバイルデバイスの地理的位置が、第１の位置、ならびに第１の電力レベルおよび第１の伝送時間の少なくとも一方、第２の位置、ならびに第２の電力レベルおよび第２の伝送時間の少なくとも一方、および第３の位置、ならびに第３の電力レベルおよび第３の伝送時間の少なくとも一方、を使用して求められる。例えば、三角測量アルゴリズムを、モバイルデバイスの地理的位置を求めるために、第１の位置、ならびに第１の電力レベルおよび第１の伝送時間の少なくとも一方、第２の位置、ならびに第２の電力レベルおよび第２の伝送時間の少なくとも一方、および第３の位置、ならびに第３の電力レベルおよび第３の伝送時間の少なくとも一方、を使用して適用することができる。本明細書で使用される場合、「ある電力レベルおよびある伝送時間の少なくとも一方」は、その電力レベルおよび／またはその伝送時間を意味することを意図している。別の実施形態では、モバイルデバイスの地理的位置は、最も強い電力レベルを有するＤＲＵの位置から推定することができる。
【００８１】
[0097]一実施形態では、モバイルデバイスの地理的位置およびモバイルデバイスの識別子は、緊急応答システム（例えば、Ｅ９１１）またはデータベースに送信することができる。緊急応答システムは、電話番号とモバイルデバイス識別子との間のマッピングを維持するか、またはマッピングにアクセスすることができ、その結果、モバイルデバイス識別子を使用してモバイルデバイスの特定の電話番号に地理的位置を結び付けることができる。したがって、例えば、モバイルデバイスの地理的位置を使用して、緊急発呼者の位置を特定することができる。
【００８２】
[0098]図１３から図１７は、ユーザＫＰＩデータを抽出することができるロング・ターム・エボリューション（ＬＴＥ）制御チャネルの例を示す。ＬＴＥに関して示し、説明するが、本発明の実施形態は、同様に、３Ｇ、４Ｇ、ＧＳＭ（登録商標）などの無線通信の他の規格のための制御チャネルからユーザＫＰＩデータを抽出することができることを意図する。
【００８３】
[0099]図１３は、ＬＴＥチャネルの一例を示す。ユーザＫＰＩデータは、主に、ダウンリンク経路上のＰＤＣＣＨおよびアップリンク経路上のＰＵＣＣＨから抽出することができる。ＰＤＣＣＨチャネルは、ＬＴＥダウンリンク受信器トランスポートチャネルおよび制御情報の一例を示す図１４、ならびにＬＴＥダウンリンク送信器トランスポートチャネルおよび制御情報の一例を示す図１５にさらに示される。ＰＵＣＣＨチャネルは、ＬＴＥアップリンク受信器トランスポートチャネルおよび制御情報の一例を示す図１６、ならびにＬＴＥアップリンク送信器トランスポートチャネルおよび制御情報の一例を示す図１７にさらに示される。
【００８４】
[0100]本明細書に記載された例および実施形態は、説明の目的のみのものであり、その観点から様々な修正形態または変更形態が当業者に示唆され、本出願の精神および範囲内、ならびに添付の特許請求の範囲内に含まれるべきであることが理解されよう。
【図１】
0006797178.tif 000002
【図２】
0006797178.tif 000003
【図３】
0006797178.tif 000004
【図４】
0006797178.tif 000005
【図５】
0006797178.tif 000006
【図６】
0006797178.tif 000007
【図７】
0006797178.tif 000008
【図８】
0006797178.tif 000009
【図９】
0006797178.tif 000010
【図１０】
0006797178.tif 000011
【図１１】
0006797178.tif 000012
【図１２】
0006797178.tif 000013
【図１３】
0006797178.tif 000014
【図１４】
0006797178.tif 000015
【図１５】
0006797178.tif 000016
【図１６】
0006797178.tif 000017
【図１７】
0006797178.tif 000018